(57)【要約】      （修正有）【課題】信頼性を向上し、費用を低減できるプラズマディスプレイ装置及びその駆動方法。【解決手段】プラズマディスプレイ装置は、電極を含むプラズマディスプレイパネルと、電極にサステイン電圧を供給するサステイン電圧源と、プラズマディスプレイパネルに格納されたエネルギーを回収すると共に、回収されたエネルギーを前記プラズマディスプレイパネルに再供給するためのソースキャパシタと、サステイン電圧源とソースキャパシタとの間に接続されてソースキャパシタに供給される電圧を基準電圧で一定に維持するための電圧安定化部と、を含み、駆動方法は、初期駆動の際、ソースキャパシタに基準電圧を供給するステップと、ソースキャパシタに供給された電圧レベルを基準電圧で一定に維持されるように安定化させるステップと、ソースキャパシタに供給された電圧をプラズマディスプレイパネルに再供給するステップと、を含む。【選択図】図３
2006313315.tif 000002
【特許請求の範囲】
【請求項１】
電極を含むプラズマディスプレイパネルと、
前記電極にサステイン電圧を供給するサステイン電圧源と、
前記プラズマディスプレイパネルに格納されたエネルギーを回収すると共に、回収されたエネルギーを前記プラズマディスプレイパネルに再供給するためのソースキャパシタと、
前記サステイン電圧源と前記ソースキャパシタとの間に接続されて前記ソースキャパシタに供給される電圧を基準電圧で一定に維持するための電圧安定化部と、
を含むことを特徴とするプラズマディスプレイ装置。
【請求項２】
前記電圧安定化部は定電圧源であることを特徴とする請求項１に記載のプラズマディスプレイ装置。
【請求項３】
前記電圧安定化部は、
前記サステイン電圧源と前記ソースキャパシタとの間に接続されたツェナーダイオードを含むことを特徴とする請求項２に記載のプラズマディスプレイ装置。
【請求項４】
前記基準電圧は１／２サステイン電圧であることを特徴とする請求項３に記載のプラズマディスプレイ装置。
【請求項５】
前記ツェナーダイオードと前記サステイン電圧源との間に接続されて前記ツェナーダイオードに供給される電流を制御する抵抗を更に含むことを特徴とする請求項３に記載のプラズマディスプレイ装置。
【請求項６】
電極を含むプラズマディスプレイパネルと、
前記電極にサステイン電圧を供給するサステイン電圧源と、
前記プラズマディスプレイパネルに格納されたエネルギーを回収すると共に、回収されたエネルギーを前記プラズマディスプレイパネルに再供給するためのソースキャパシタと、
前記サステイン電圧源と前記ソースキャパシタとの間に接続されて前記ソースキャパシタに供給される電圧を基準電圧で一定に維持するための第１電圧安定化部と、
前記ソースキャパシタと基底電圧源との間に接続されて前記ソースキャパシタに供給される電圧を基準電圧で一定に維持する第２電圧安定化部と、
を含むことを特徴とするプラズマディスプレイ装置。
【請求項７】
前記第１電圧安定化部及び前記第２電圧安定化部は定電圧源であることを特徴とする請求項６に記載のプラズマディスプレイ装置。
【請求項８】
前記第１電圧安定化部は、
前記サステイン電圧源と前記ソースキャパシタとの間に接続された第１ツェナーダイオードを含むことを特徴とする請求項７に記載のプラズマディスプレイ装置。
【請求項９】
前記基準電圧は１／２サステイン電圧であることを特徴とする請求項８に記載のプラズマディスプレイ装置。
【請求項１０】
前記第１電圧安定化部は、
前記第１ツェナーダイオードと前記サステイン電圧源との間に接続されて前記第１ツェナーダイオードに供給される電流を制御する第１抵抗を更に含むことを特徴とする請求項８に記載のプラズマディスプレイ装置。
【請求項１１】
前記第２電圧安定化部は、
前記ソースキャパシタと前記基底電圧源との間に接続された第２ツェナーダイオードを含むことを特徴とする請求項７に記載のプラズマディスプレイ装置。
【請求項１２】
前記基準電圧は１／２サステイン電圧であることを特徴とする請求項１１に記載のプラズマディスプレイ装置。
【請求項１３】
前記ソースキャパシタと前記第２ツェナーダイオードとの間に接続されて前記第２ツェナーダイオードに流れる電流を制御する第２抵抗を更に含むことを特徴とする請求項１１に記載のプラズマディスプレイ装置。
【請求項１４】
初期駆動の際、ソースキャパシタに基準電圧を供給するステップと、
前記ソースキャパシタに供給された電圧レベルを前記基準電圧で一定に維持されるように安定化させるステップと、
前記ソースキャパシタに供給された電圧を前記プラズマディスプレイパネルに再供給するステップと、
を含むことを特徴とするプラズマディスプレイ装置の駆動方法。
【請求項１５】
前記基準電圧は１／２サステイン電圧であることを特徴とする請求項１４に記載のプラズマディスプレイ装置の駆動方法。
【発明の詳細な説明】
【技術分野】
【０００１】
本発明は、プラズマディスプレイ装置及びその駆動方法に関し、より詳しくは、電極を駆動するプラズマディスプレイ装置及び駆動方法に関する。
【背景技術】
【０００２】
一般に、プラズマディスプレイ装置のうち、プラズマディスプレイ装置は、プラズマディスプレイパネルとプラズマディスプレイパネルを駆動するための駆動部を含む。
【０００３】
最近、陰極線管（Cathode Ray Tube）の短所である重さと体積を縮めることができる各種平板表示装置が開発されている。このような平板表示装置は、液晶表示装置（Liquid Crystal Display：ＬＣＤ）、電界放出表示装置（Field Emission Display：ＦＥＤ）、プラズマディスプレイパネル（Plasma Display Panel：以下、"ＰＤＰ"という）及びエレクトロ ルミネセンス（Electro-Luminescence：ＥＬ）表示装置などがある。
【０００４】
このうち、ＰＤＰは気体放電を用いた表示素子であって、大型パネルの製作が容易であるという長所がある。現在、大部分のＰＤＰは上部基板にスキャン電極及びサステイン電極が形成され、下部基板にアドレス電極が形成された３電極交流面放電型ＰＤＰが主に使われる。
【０００５】
このような３電極交流面放電型ＰＤＰは、多数個のサブフィールドに分離されて駆動され、各サブフィールド期間にはビデオデータの加重値に比例させた回数の発光が進行されることによって、階調表示が行なわれることになる。サブフィールドはまた初期化期間、アドレス期間及びサステイン期間に分割されて駆動される。
【０００６】
ここで、初期化期間は放電セルに均一な壁電荷を形成する期間であり、アドレス期間はビデオデータの論理値によって選択的なアドレス放電が発生するようにする期間であり、サステイン期間はアドレス放電が発生された放電セルで放電が維持されるようにする期間である。
【０００７】
このように駆動される３電極交流面放電型ＰＤＰのアドレス放電及びサステイン放電には数百ボルト以上の高圧が必要である。したがって、アドレス放電及びサステイン放電に必要な駆動電力を最小化するためにエネルギー回収装置が用いられる。
【０００８】
図１は、従来のプラズマディスプレイパネルのエネルギー回収装置を示す回路図である。
【０００９】
図１を参照すれば、'Ｗｅｂｅｒ（ＵＳＰ−５０８１４００）'により提案されたプラズマディスプレイパネルのエネルギー回収装置３０、３２はパネルキャパシタ（Ｃｐ）を挟んで互いに対称的に設けられる。
【００１０】
ここで、パネルキャパシタ（Ｃｐ）はスキャン電極（Ｙ）とサステイン電極（Ｚ）との間に形成される静電容量を等価的に表したのである。このようなエネルギー回収装置において、第１エネルギー回収装置３０はスキャン電極（Ｙ）にサステインパルスを供給し、第２エネルギー回収装置３２は第１エネルギー回収装置３０と交互に動作しながらサステイン電極（Ｚ）にサステインパルスを供給する。
【００１１】
従来のプラズマディスプレイパネルのエネルギー回収装置３０、３２の構成を第１エネルギー回収装置３０を参照して説明する。
【００１２】
第１エネルギー回収装置３０は、パネルキャパシタ（Ｃｐ）とソースキャパシタ（Ｃｓ）との間に接続されたインダクタ（Ｌ）と、ソースキャパシタ（Ｃｓ）とインダクタ（Ｌ）との間に並列に接続された第１及び第２スイッチ（ＳＷ１、ＳＷ２）と、パネルキャパシタ（Ｃｐ）のスキャン電極（Ｙ）とサステイン電圧源（Ｖｓ）との間に接続された第３スイッチ（ＳＷ３）と、パネルキャパシタ（Ｃｐ）のスキャン電極（Ｙ）と基底電圧源（ＧＮＤ）との間に接続された第４スイッチ（ＳＷ４）とを含む。
【００１３】
ソースキャパシタ（Ｃｓ）はサステイン放電の際、パネルキャパシタ（Ｃｐ）に充電される電圧を回収して充電すると共に、充電された電圧をパネルキャパシタ（Ｃｐ）に再供給する。このようなソースキャパシタ（Ｃｓ）にはサステイン電圧源（Ｖｓ）の半分値に該当するＶｓ／２の電圧が充電される。インダクタ（Ｌ）はパネルキャパシタ（Ｃｐ）と共に共振回路を形成する。
【００１４】
このために、第１乃至第４スイッチ（ＳＷ１乃至ＳＷ４）は電流の流れを制御する。この際、第１乃至第４スイッチ（ＳＷ１乃至ＳＷ４）には内部ダイオード（Ｄ１乃至Ｄ４）が形成される。一方、第１及び第２スイッチ（ＳＷ１、ＳＷ２）とインダクタ（Ｌ）との間に各々設けられた第５及び第６ダイオード（Ｄ５、Ｄ６）は電流が逆方向に流れることを防止する。
【００１５】
図２は、図１に図示されたスイッチのオン／オフタイミングとパネルキャパシタの出力波形を示すタイミングも及び波形図である。
【００１６】
図２を参照すれば、ｔ１期間の以前にパネルキャパシタ（Ｃｐ）には０Ｖの電圧が充電されると共に、ソースキャパシタ（Ｃｓ）にはＶｓ／２の電圧が充電されていると仮定して動作過程を詳細に説明する。
【００１７】
ｔ１期間には第１スイッチ（ＳＷ１）がターン−オン（Turn-on）されてソースキャパシタ（Ｃｓ）、第１スイッチ（ＳＷ１）、第５ダイオード（Ｄ５）、インダクタ（Ｌ）及びパネルキャパシタ（Ｃｐ）に繋がる電流パスが形成される。これによって、ソースキャパシタ（Ｃｓ）に充電されたＶｓ／２の電圧はパネルキャパシタ（Ｃｐ）に供給される。
【００１８】
この際、インダクタ（Ｌ）とパネルキャパシタ（Ｃｐ）は直列共振回路を形成するため、パネルキャパシタ（Ｃｐ）にはソースキャパシタ（Ｃｓ）電圧の２倍のサステイン電圧（Ｖｓ）が充電される。
【００１９】
ｔ２期間には、第１スイッチ（ＳＷ１）はターン−オフされ、第３スイッチ（ＳＷ３）がターン−オンされる。これによって、サステイン電圧源（Ｖｓ）からサステイン電圧（Ｖｓ）がスキャン電極（Ｙ）に供給される。この際、パネルキャパシタ（Ｃｐ）はｔ２期間の間、サステイン電圧（Ｖｓ）を維持する。
【００２０】
一方、パネルキャパシタ（Ｃｐ）の電圧は、ｔ１期間にサステイン電圧（Ｖｓ）まで上昇したので、サステイン放電を起こすために外部から供給してくれる駆動電力は最小化される。
【００２１】
ｔ３期間には、第３スイッチ（ＳＷ３）はターン−オフされ、第２スイッチ（ＳＷ２）がターン−オンされる。これによって、パネルキャパシタ（Ｃｐ）、インダクタ（Ｌ）、第６ダイオード（Ｄ６）、第２スイッチ（ＳＷ２）及びソースキャパシタ（Ｃｓ）に繋がる電流パスが形成されてパネルキャパシタ（Ｃｐ）に充電された電圧がソースキャパシタ（Ｃｓ）に回収される。この際、ソースキャパシタ（Ｃｓ）にはＶｓ／２の電圧が充電される。
【００２２】
ｔ３期間の以後には、第２スイッチ（ＳＷ３）はターン−オフされ、第４スイッチ（ＳＷ４）がターン−オンされる。これによって、パネルキャパシタ（Ｃｐ）のスキャン電極（Ｙ）には基底電圧（ＧＮＤ）が供給される。この際、パネルキャパシタ（Ｃｐ）のスキャン電極（Ｙ）はサステイン電極（Ｚ）にサステインパルスが供給される間、基底電圧（ＧＮＤ）を維持する。
【００２３】
一方、第２エネルギー回収装置３２は第１エネルギー回収装置３０と交互に動作しながらパネルキャパシタ（Ｃｐ）にサステインパルスを供給する。
【００２４】
したがって、パネルキャパシタ（Ｃｐ）には互いに反対極性を有するサステイン電圧（Ｖｓ）が供給される。このように、パネルキャパシタ（Ｃｐ）に互いに反対極性を有するサステイン電圧（Ｖｓ）が供給されることによって放電セルでサステイン放電が起こる。
【００２５】
しかしながら、このような従来のエネルギー回収装置はソースキャパシタ（Ｃｓ）に供給される電圧がないため、パネルキャパシタ（Ｃｐ）にサステイン電圧（Ｖｓ）を充／放電させる際、スキャン電極（Ｙ）側のインピーダンスによって電圧降下が発生することになる。
【００２６】
これによって、ソースキャパシタ（Ｃｓ）には１／２サステイン電圧（Ｖｓ／２）より小さな電圧が充電されることになるので、パネルキャパシタ（Ｃｐ）にはサステイン電圧（Ｖｓ）より小さな電圧が充電されるので信頼性が低下することになる。
【００２７】
また、サステイン電圧（Ｖｓ）とソースキャパシタ（Ｃｓ）に充電された電圧との間の電圧差が第１及び第２スイッチ（ＳＷ１、ＳＷ２）にそのままかかるため、第１及び第２スイッチ（ＳＷ１、ＳＷ２）の定格を高めなければならないので、プラズマディスプレイパネルの費用が増加する問題がある。
【発明の開示】
【発明が解決しようとする課題】
【００２８】
本発明は、信頼性を向上させると共に、費用を低減させることができるプラズマディスプレイ装置及びその駆動方法を提供するためのものである。
【課題を解決するための手段】
【００２９】
本発明の一実施形態に係るプラズマディスプレイ装置は、電極を含むプラズマディスプレイパネルと、前記電極にサステイン電圧を供給するサステイン電圧源と、前記プラズマディスプレイパネルに格納されたエネルギーを回収すると共に、回収されたエネルギーを前記プラズマディスプレイパネルに再供給するためのソースキャパシタと、前記サステイン電圧源と前記ソースキャパシタとの間に接続されて前記ソースキャパシタに供給される電圧を基準電圧で一定に維持するための電圧安定化部と、を含む。
【００３０】
前記電圧安定化部は定電圧源であることが好ましい。
【００３１】
前記電圧安定化部は、前記サステイン電圧源と前記ソースキャパシタとの間に接続されたツェナーダイオードを含む。
【００３２】
前記基準電圧は１／２サステイン電圧であることが好ましい。
【００３３】
前記ツェナーダイオードと前記サステイン電圧源との間に接続されて前記ツェナーダイオードに供給される電流を制御する抵抗を更に含む。
【００３４】
本発明の一実施形態に係るプラズマディスプレイ装置は、電極を含むプラズマディスプレイパネルと、前記電極にサステイン電圧を供給するサステイン電圧源と、前記プラズマディスプレイパネルに格納されたエネルギーを回収すると共に、回収されたエネルギーを前記プラズマディスプレイパネルに再供給するためのソースキャパシタと、前記サステイン電圧源と前記ソースキャパシタとの間に接続されて前記ソースキャパシタに供給される電圧を基準電圧で一定に維持するための第１電圧安定化部と、前記ソースキャパシタと基底電圧源との間に接続されて前記ソースキャパシタに供給される電圧を基準電圧で一定に維持する第２電圧安定化部と、を含む。
【００３５】
前記第１電圧安定化部及び前記第２電圧安定化部は定電圧源であることが好ましい。
【００３６】
前記第１電圧安定化部は、前記サステイン電圧源と前記ソースキャパシタとの間に接続された第１ツェナーダイオードを含むことが好ましい。
【００３７】
前記基準電圧は１／２サステイン電圧であることが好ましい。
【００３８】
前記第１電圧安定化部は、前記第１ツェナーダイオードと前記サステイン電圧源との間に接続されて前記第１ツェナーダイオードに供給される電流を制御する第１抵抗を更に含む。
【００３９】
前記第２電圧安定化部は、前記ソースキャパシタと前記基底電圧源との間に接続された第２ツェナーダイオードを含む。
【００４０】
前記基準電圧は１／２サステイン電圧であることが好ましい。
【００４１】
前記ソースキャパシタと前記第２ツェナーダイオードとの間に接続されて前記第２ツェナーダイオードに流れる電流を制御する第２抵抗を更に含む。
【００４２】
本発明の又別の一実施形態に係るプラズマディスプレイ装置の駆動方法は、初期駆動の際、ソースキャパシタに基準電圧を供給するステップと、前記ソースキャパシタに供給された電圧レベルを前記基準電圧で一定に維持されるように安定化させるステップと、前記ソースキャパシタに供給された電圧を前記プラズマディスプレイパネルに再供給するステップと、を含む。
【００４３】
前記基準電圧は１／２サステイン電圧であることが好ましい。
【発明の効果】
【００４４】
本発明は、電圧安定化部を用いてソースキャパシタに基準電圧を常に安定的に充電することによって、パネルキャパシタに充電されるサステイン電圧のライジングタイムを一定に維持して信頼性を向上させることができる。
【００４５】
本発明は、耐圧の低いスイッチ素子を使用できるので、プラズマディスプレイ装置の費用を低減させることができる。
【発明を実施するための最良の形態】
【００４６】
以下、本発明の一実施形態に係る具体的な実施形態を添付の図面を参照しつつ説明する。
【００４７】
図３は、本発明の一実施形態に係るプラズマディスプレイ装置を示す図面である。
【００４８】
図３に示すように、本発明の一実施形態に係るプラズマディスプレイ装置のうち、エネルギー回収装置８０、８２はパネルキャパシタ（Ｃｐ）を挟んで対称的に設けられる。
【００４９】
ここで、パネルキャパシタ（Ｃｐ）はスキャン電極（Ｙ）とサステイン電極（Ｚ）との間に形成される静電容量を等価的に表したのである。
【００５０】
このようなエネルギー回収装置において、第１エネルギー回収装置８０はスキャン電極（Ｙ）にサステインパルスを供給し、第２エネルギー回収装置８２は第１エネルギー回収装置８０と交互に動作しながらサステイン電極（Ｚ）にサステインパルスを供給する。
【００５１】
本発明の一実施形態に係るプラズマディスプレイ装置のうち、エネルギー回収装置８０、８２の構成を第１エネルギー回収装置８０を参照して説明する。
【００５２】
第１エネルギー回収装置８０は、パネルキャパシタ（Ｃｐ）のスキャン電極（Ｙ）にサステイン電圧（Ｖｓ）を供給するためのサステイン電圧源（Ｖｓ）、パネルキャパシタ（Ｃｐ）のスキャン電極（Ｙ）に基底電圧（ＧＮＤ）を供給するための基底電圧源（ＧＮＤ）、パネルキャパシタ（Ｃｐ）に充電されたエネルギーを回収すると共に、回収されたエネルギーをパネルキャパシタ（Ｃｐ）に再供給するためのソースキャパシタ（Ｃｓ）、パネルキャパシタ（Ｃｐ）とソースキャパシタ（Ｃｓ）との間に接続されたインダクタ（Ｌ）を含む。
【００５３】
また、インダクタ（Ｌ）とソースキャパシタ（Ｃｓ）との間に並列に接続された第１及び第２スイッチ（ＳＷ１、ＳＷ２）、第１スイッチ（ＳＷ１）と並列に接続された第１ダイオード（Ｄ１）、第１スイッチ（ＳＷ１）とインダクタ（Ｌ）との間に接続された第５ダイオード（Ｄ５）、第２スイッチ（ＳＷ２）と並列に接続された第３ダイオード（Ｄ３）、インダクタ（Ｌ）と第２スイッチ（ＳＷ２）の間に接続された第６ダイオード（Ｄ６）、サステイン電圧源（Ｖｓ）とパネルキャパシタ（Ｃｐ）のスキャン電極（Ｙ）との間に接続された第３スイッチ（ＳＷ３）、第３スイッチ（ＳＷ３）と並列に接続された第２ダイオード（Ｄ２）、パネルキャパシタ（Ｃｐ）のスキャン電極（Ｙ）と基底電圧源（ＧＮＤ）との間に接続された第４スイッチ（ＳＷ４）、第４スイッチ（ＳＷ４）と並列に接続された第４ダイオード（Ｄ４）、及びサステイン電圧源（Ｖｓ）とソースキャパシタ（Ｃｓ）との間に接続された電圧安定化部７０を含む。
【００５４】
パネルキャパシタ（Ｃｐ）は、ＰＤＰのスキャン電極（Ｙ）とサステイン電極（Ｚ）との間に形成される静電容量を等価的に表したのである。
【００５５】
このようなパネルキャパシタ（Ｃｐ）は、互いに反対極性を有するサステイン電圧（Ｖｓ）によりサステイン放電を生じる。
【００５６】
ソースキャパシタ（Ｃｓ）はパネルキャパシタ（Ｃｐ）に充電されたエネルギーを回収すると共に、回収されたエネルギーをパネルキャパシタ（Ｃｐ）のスキャン電極（Ｙ）に再供給する。
【００５７】
インダクタ（Ｌ）は第１乃至第４スイッチ（ＳＷ１乃至ＳＷ４）のスイッチング制御信号によりパネルキャパシタ（Ｃｐ）から供給されるエネルギーを格納すると共に、パネルキャパシタ（Ｃｐ）とのＬＣ共振により格納されたエネルギーをパネルキャパシタ（Ｃｐ）に供給する。
【００５８】
第１スイッチ（ＳＷ１）はソースキャパシタ（Ｃｓ）と第５ダイオード（Ｄ５）との間に接続されてタイミングコントローラー（図示していない）から供給される第１スイッチング制御信号によりソースキャパシタ（Ｃｓ）に格納されたエネルギーがパネルキャパシタ（Ｃｐ）に供給されるように電流パスを形成する。
【００５９】
第２スイッチ（ＳＷ２）はソースキャパシタ（Ｃｓ）と第６ダイオード（Ｄ６）との間に接続されてタイミングコントローラー（図示していない）から供給される第２スイッチング制御信号によりパネルキャパシタ（Ｃｐ）で放電に寄与しない無効電力のエネルギーがソースキャパシタ（Ｃｓ）に供給されるように電流パスを形成する。
【００６０】
第３スイッチ（ＳＷ３）は、サステイン電圧源（Ｖｓ）とパネルキャパシタ（Ｃｐ）のスキャン電極（Ｙ）との間に接続されてタイミングコントローラー（図示していない）から供給される第３スイッチング制御信号によりサステイン電圧源（Ｖｓ）からのサステイン電圧（Ｖｓ）がパネルキャパシタ（Ｃｐ）のスキャン電極（Ｙ）に供給されるように電流パスを形成する。
【００６１】
第４スイッチ（ＳＷ４）は、パネルキャパシタ（Ｃｐ）のスキャン電極（Ｙ）と基底電圧源（ＧＮＤ）との間に接続されてタイミングコントローラー（図示していない）から供給される第４スイッチング制御信号により基底電圧源（ＧＮＤ）からの基底電圧（ＧＮＤ）がパネルキャパシタ（Ｃｐ）のスキャン電極（Ｙ）に供給されるように電流パスを形成する。
【００６２】
このような、第１乃至第４スイッチ（ＳＷ１乃至ＳＷ４）の各々は、半導体スイッチ素子、例えば、ＭＯＳＦＥＴ、ＩＧＢＴ、ＳＣＲ、ＢＪＴのうち、いずれか１つで構成される。
【００６３】
第５ダイオード（Ｄ５）は第１スイッチ（ＳＷ１）とインダクタ（Ｌ）との間に接続されてパネルキャパシタ（Ｃｐ）の充電の際、パネルキャパシタ（Ｃｐ）からの逆電流を防止する。
【００６４】
第６ダイオード（Ｄ６）はインダクタ（Ｌ）と第２スイッチ（ＳＷ２）との間に接続されてパネルキャパシタ（Ｃｐ）の放電の際、ソースキャパシタ（Ｃｓ）からの逆電流を防止する。
【００６５】
電圧安定化部７０は、サステイン電圧源（Ｖｓ）とソースキャパシタ（Ｃｓ）との間に接続されて第１エネルギー回収装置８０で負荷の変動により電流が変化されてもソースキャパシタ（Ｃｓ）に供給される電圧が基準電圧で一定に維持するようにサステイン電圧源（Ｖｓ）から供給される電圧を安定化させる。
【００６６】
このような、電圧安定化部７０はサステイン電圧源（Ｖｓ）とソースキャパシタ（Ｃｓ）との間に直列に接続された抵抗（Ｒ）及びツェナーダイオード（ＺＤ）を含む。
【００６７】
ここで、基準電圧は１／２サステイン電圧（Ｖｓ）であることが好ましくて、以下では基準電圧が１／２サステイン電圧（Ｖｓ）であることを例として説明する。
【００６８】
抵抗（Ｒ）は、サステイン電圧源（Ｖｓ）とツェナーダイオード（ＺＤ）との間に接続されてツェナーダイオード（ＺＤ）に流れる電流を制御する。
【００６９】
ツェナーダイオード（ＺＤ）は、抵抗（Ｒ）とソースキャパシタ（Ｃｓ）との間に接続されてサステイン電圧源（Ｖｓ）から供給されるサステイン電圧（Ｖｓ）のうち、１／２サステイン電圧（Ｖｓ）がソースキャパシタ（Ｃｓ）に安定的に供給されるように１／２サステイン電圧（Ｖｓ）を有する定電圧源に使われる。
【００７０】
このために、ツェナーダイオード（ＺＤ）は基準電圧を一定に維持できる素子が使われる。これによって、ソースキャパシタ（Ｃｓ）には常に１／２サステイン電圧（Ｖｓ）が安定的に充電される。
【００７１】
一方、第２エネルギー回収装置８２は第１エネルギー回収装置８０と交互に動作しながらパネルキャパシタ（Ｃｐ）のサステイン電極（Ｚ）に駆動電圧を供給する。
【００７２】
したがって、パネルキャパシタ（Ｃｐ）には互いに反対極性を有するサステイン電圧（Ｖｓ）が供給される。
【００７３】
このように、パネルキャパシタ（Ｃｐ）に互いに反対極性を有するサステイン電圧（Ｖｓ）が供給されることによって、放電セルでサステイン放電が起こることになる。
【００７４】
この際、第２エネルギー回収装置８２に設けられた電圧安定化部９０は第１エネルギー回収装置８０に設けられた電圧安定化部７０と同一な役割をするので詳細な説明は詳述した内容に対置するようにする。
【００７５】
このように、本発明の一実施形態に係るプラズマディスプレイ装置のうち、エネルギー回収装置ではサステイン電圧源（Ｖｓ）とソースキャパシタ（Ｃｓ）との間に電圧安定化部７０を設けてソースキャパシタ（Ｃｓ）に供給される電圧を１／２サステイン電圧（Ｖｓ／２）で一定に維持することによって、ソースキャパシタ（Ｃｓ）に１／２サステイン電圧（Ｖｓ／２）を常に安定的に充電することができる。
【００７６】
これによって、パネルキャパシタ（Ｃｐ）に充電されるサステイン電圧（Ｖｓ）のライジングタイム（Rising Time）を一定に維持できることになるので信頼性を向上させることができる。
【００７７】
また、ソースキャパシタ（Ｃｓ）は常に１／２サステイン電圧（Ｖｓ／２）を安定的に充電することになって、パネルキャパシタ（Ｃｐ）の充／放電電流パスを形成する第１及び第２スイッチ（ＳＷ１、ＳＷ２）には１／２サステイン電圧（Ｖｓ／２）が一定にかかることになるので、耐圧の低いスイッチ素子を使用することができる。これによって、プラズマディスプレイパネルの費用を低減させることができる。
【００７８】
図４は、本発明の他の一実施形態に係るプラズマディスプレイパネルのエネルギー回収装置を示す図である。
【００７９】
図４に示すように、本発明の他の一実施形態に係るプラズマディスプレイ装置のうち、エネルギー回収装置１３０、１３２はパネルキャパシタ（Ｃｐ）を挟んで対称的に設けられる。
【００８０】
ここで、パネルキャパシタ（Ｃｐ）はスキャン電極（Ｙ）とサステイン電極（Ｚ）との間に形成される静電容量を等価的に表したのである。
【００８１】
このようなエネルギー回収装置において、第１エネルギー回収装置１３０はスキャン電極（Ｙ）にサステインパルスを供給し、第２エネルギー回収装置１３２は第１エネルギー回収装置１３０と交互に動作しながらサステイン電極（Ｚ）にサステインパルスを供給する。
【００８２】
本発明の他の一実施形態に係るプラズマディスプレイ装置のうち、エネルギー回収装置１３０、１３２の構成を第１エネルギー回収装置１３０を参照して説明する。
【００８３】
第１エネルギー回収装置１３０はパネルキャパシタ（Ｃｐ）のスキャン電極（Ｙ）にサステイン電圧（Ｖｓ）を供給するためのサステイン電圧源（Ｖｓ）、パネルキャパシタ（Ｃｐ）のスキャン電極（Ｙ）に基底電圧（ＧＮＤ）を供給するための基底電圧源（ＧＮＤ）、パネルキャパシタ（Ｃｐ）に充電されたエネルギーを回収すると共に、回収されたエネルギーをパネルキャパシタ（Ｃｐ）に再供給するためのソースキャパシタ（Ｃｓ）、パネルキャパシタ（Ｃｐ）とソースキャパシタ（Ｃｓ）との間に接続されたインダクタ（Ｌ）を含む。
【００８４】
また、インダクタ（Ｌ）とソースキャパシタ（Ｃｓ）との間に並列に接続された第１及び第２スイッチ（ＳＷ１、ＳＷ２）、第１スイッチ（ＳＷ１）と並列に接続された第１ダイオード（Ｄ１）、第１スイッチ（ＳＷ１）とインダクタ（Ｌ）との間に接続された第５ダイオード（Ｄ５）、第２スイッチ（ＳＷ２）と並列に接続された第３ダイオード（Ｄ３）、インダクタ（Ｌ）と第２スイッチ（ＳＷ２）の間に接続された第６ダイオード（Ｄ６）、サステイン電圧源（Ｖｓ）とパネルキャパシタ（Ｃｐ）のスキャン電極（Ｙ）との間に接続された第３スイッチ（ＳＷ３）、第３スイッチ（ＳＷ３）と並列に接続された第２ダイオード（Ｄ２）、パネルキャパシタ（Ｃｐ）のスキャン電極（Ｙ）と基底電圧源（ＧＮＤ）との間に接続された第４スイッチ（ＳＷ４）、第４スイッチ（ＳＷ４）と並列に接続された第４ダイオード（Ｄ４）、サステイン電圧源（Ｖｓ）とソースキャパシタ（Ｃｓ）との間に接続された第１電圧安定化部１２２及びソースキャパシタ（Ｃｓ）と基底電圧源（ＧＮＤ）との間に接続された第２電圧安定化部１２４を含む。
【００８５】
このような本発明の他の一実施形態に係るプラズマディスプレイパネルのエネルギー回収装置は、図３で説明した本発明の一実施形態に係るプラズマディスプレイパネルのエネルギー回収装置と対比して第２電圧安定化部１２４を除外した残りの構成要素は本発明の第１実施形態に係るプラズマディスプレイパネルのエネルギー回収装置と同一であるので、第２電圧安定化部１２４を除外した残りの構成要素に対する詳細な説明は詳述した内容に対置するようにする。
【００８６】
第２電圧安定化部１２４は、ソースキャパシタ（Ｃｓ）と基底電圧源（ＧＮＤ）との間に接続されて第１エネルギー回収装置１３０で負荷の変動により電流が変化されてもソースキャパシタ（Ｃｓ）に供給される電圧が１／２サステイン電圧（Ｖｓ）を一定に維持するように第１電圧安定化部１２２により分圧された電圧を安定化させる。
【００８７】
すなわち、第２電圧安定化部１２４はソースキャパシタ（Ｃｐ）の両端に第１電圧安定化部１２２により安定化された電圧、すなわち、１／２サステイン電圧（Ｖｓ／２）が安定的に供給されるように第１電圧安定化部１２２により分圧された電圧を安定化させる。
【００８８】
このために、第２電圧安定化部１２４は、ソースキャパシタ（Ｃｓ）と基底電圧源（ＧＮＤ）との間に直列に接続された第２抵抗（Ｒ２）及び第２ツェナーダイオード（ＺＤ２）を含む。
【００８９】
第２抵抗（Ｒ２）は、ソースキャパシタ（Ｃｓ）と基底電圧源（ＧＮＤ）との間に接続されて第２ツェナーダイオード（ＺＤ２）に流れる電流を制御する。このような第２抵抗（Ｒ２）は除去されることができる。
【００９０】
第２ツェナーダイオード（ＺＤ２）は、第２抵抗（Ｒ２）と基底電圧源（ＧＮＤ）との間に接続されて第１電圧安定化部（１２２）により分圧された１／２サステイン電圧（Ｖｓ／２）がソースキャパシタ（Ｃｓ）の両端に安定的に供給されるように１／２サステイン電圧（Ｖｓ／２）を有する定電圧源に使われる。
【００９１】
これために、第２ツェナーダイオード（ＺＤ２）は第１ツェナーダイオード（ＺＤ１）と同一な素子が使われる。
【００９２】
言い換えると、第２ツェナーダイオード（ＺＤ２）は１／２サステイン電圧（Ｖｓ／２）を一定に維持できる素子が使われる。これによって、ソースキャパシタ（Ｃｓ）には常に１／２サステイン電圧（Ｖｓ）が安定的に充電される。
【００９３】
このように、本発明の他の一実施形態に係るプラズマディスプレイパネルのエネルギー回収装置では、サステイン電圧源（Ｖｓ）とソースキャパシタ（Ｃｓ）及び基底電圧源（ＧＮＤ）との間に電圧安定化部１２０を設けてソースキャパシタ（Ｃｓ）に供給される電圧を１／２サステイン電圧（Ｖｓ／２）で一定に維持することによって、ソースキャパシタ（Ｃｓ）に１／２サステイン電圧（Ｖｓ／２）を常に安定的に充電することができる。
【００９４】
これによって、パネルキャパシタ（Ｃｐ）に充電されるサステイン電圧（Ｖｓ）のライジングタイムを一定に維持できるようになるので、信頼性を向上させることができる。
【００９５】
また、ソースキャパシタ（Ｃｓ）は常に１／２サステイン電圧（Ｖｓ／２）を安定的に充電することになって、パネルキャパシタ（Ｃｐ）の充／放電電流パスを形成する第１及び第２スイッチ（ＳＷ１、ＳＷ２）には１／２サステイン電圧（Ｖｓ／２）が一定にかかることになるので、耐圧の低いスイッチ素子を使用することができる。これによって、プラズマディスプレイパネルの費用を低減させることができる。
【００９６】
これによって、電圧安定化部を用いてソースキャパシタに基準電圧を常に安定的に充電することによって、パネルキャパシタに充電されるサステイン電圧のライジングタイムを一定に維持して信頼性を向上させることができる。
【００９７】
また、耐圧の低いスイッチ素子を使用することができ、プラズマディスプレイ装置の費用を低減させることができる。
【００９８】
以上のように、本発明に係るプラズマディスプレイ装置を例示した図面を参照して説明したが、本発明は明細書に開示された実施形態と図面により限るのでなく、技術思想が保護される範囲内で応用されることができる。
【図面の簡単な説明】
【００９９】
【図１】従来のプラズマディスプレイパネルのエネルギー回収装置を示す回路図である。
【図２】図１に図示されたスイッチのオン／オフタイミングとパネルキャパシタの出力波形を示すタイミング図及び波形図である。
【図３】本発明の一実施形態に係るプラズマディスプレイ装置を示す図面である。
【図４】本発明の他の一実施形態に係るプラズマディスプレイパネルのエネルギー回収装置を示す図面である。
【符号の説明】
【０１００】
３０、８０、１３０    第１エネルギー回収装置
３２、８２、１３２    第２エネルギー回収装置
１２０    電圧安定化部
１２２    第１電圧安定化部
１２４    第２電圧安定化部
【図３】
2006313315.tif 000003
【図４】
2006313315.tif 000004
【図１】
2006313315.tif 000005
【図２】
2006313315.tif 000006
【外国語明細書】
Title of Invention
Plasma Display Apparatus and Driving Method thereof
This Nonprovisional application claims priority under 35 U.S.C. § 119 a  on Patent Application No. 10-2005-0019382 filed in Korea on March 8, 2005 the entire contents of which are hereby incorporated by reference.
BACKGROUND OF THE INVENTION
Field of the Invention
・  This document relates to a display device and driving method thereof, and more particularly, to a plasma display apparatus that drives electrodes and driving method thereof. Background of the Related Art
・  Generally, a plasma display apparatus among display devices includes a plasma display panel and a driver for operating the plasma display panel.
・  Recently, a various flat dsplay devices reducing the volume and the weight which are disadvantages of cathode-ray tube CRT are developed. The flat dsplay devices may be classified into a liquid crystal display LCD, a field emission display FED, a plasma display panel PDP and electroluminescence EL display device and so on.
・  Among the flat dsplay devices, PDP is a display device using a gas discharge, being advantageous in that the manufacturing of large panel is facilitated. At present, in most PDPs, a three-electrode alternating current surface-discharge PDP where a scan electrode and a sustain electrode are formed in a front substrate and an address electrode is formed in a rear substrate is mainly used.
・  The three-electrode alternating current surface-discharge PDP are drived by time-dividing a frame into a plurality of subfields. A gray scale is performed by proceeding the radiation, the number of which is proportional to weight of video data in each subfield period. The subfield is divided again into an initialization period, an address period and a sustain period for driving.
・  The initialization period is a period forming uniform wall charges on the discharge cell. The address period is a period where a selective address discharge is generated according to the logical value of video data. The sustain period is a period where the discharge is maintained in the discharge cell in which the address discharge is generated.
・  In this way, in the address discharge and the sustain discharge of the three-electrode alternating current surface-discharge PDP, it is necessary to generate a high voltage more than several hundred volt. Therefore, the energy recovery apparatus is used in order to minimize the driving power necessary for the address discharge and the sustain discharge.
・  Figure 1 is a circuit diagram showing an energy recovery apparatus of a conventional plasma display panel.
・  Referring to Figure 1, the energy recovery apparatusess 30, 32 of the plasma display panel proposed by Weber USP-5081400 are symmetrically installed across a  panel capacitor Cp.
・  The panel capacitor Cp represents the electrostatic capacity formed between a scan electrode Y and a sustain electrode Z  equivalently. In the energy recovery apparatus, a first energy recovery apparatus 30 supplies  sustain pulses to the scan electrode  Y. The second energy recovery apparatus 32  supplies the sustain pulse to the sustain electrode  Z , while alternately operating with the first energy recovery apparatus  30.
・  The configuration of the energy recovery apparatus 30, 32  of the conventional plasma display panel will be illustrated with reference to the first energy recovery apparatus  30.
・  The first energy recovery apparatus  30  includes an inductor  L  connected between the panel capacitor  Cp  and a source capacitor  Cs,  a first and a second switch  SW1, SW2  parallely connected between the source capacitor  Cs  and the inductor  L, a third switch  SW3  connected between the scan electrode  Y of the panel capacitor  Cp and the sustain voltage source  Vs  , and a fourth switch  SW4  connected between the scan electrode  Y of the panel capacitor  Cp and a ground voltage source  GND  .
・  The source capacitor Cs  collects and charges the voltage charged in the  panel capacitor  Cp  in sustain discharge, re-supplying the charged voltage to the panel capacitor  Cp. The  voltage Vs / 2 corresponding to half of the sustain voltage source  Vs is charged in the source capacitor  Cs. The inductor L and the panel capacitor  Cp form a resonance circuit.
・  The first switch SW1 to the fourth SW4 controls the flow of current. At this time, intrinsic diodes D1 to  D4  are formed in the fourth switch  SW1 to SW4. In the meantime, the fifth and the sixth diode  D5, D6  installed between the first, the second switch  SW1, SW2  and the inductor  L  prevent currents from flowing to the reverse direction.
・  Figure 2 is a timing diagram and a waveform diagram.showing the on/off timing of the switches shown in Figure 1 and the output waveform of the panel capacitor. 
・  Referring to Figure 2, it is assumed that, before the period t1, the voltage of 0V is charged in the panel capacitor  Cp, whiel the voltage of the Vs/2 is charged in the source capacitor  Cs.
・  In the period t1, when the first switch  SW1  is turned-on, then the current path connected to the source capacitor  Cs, the first switch  SW1, the fifth diode  D5, the inductor  L  and the panel capacitor Cp is formed. Accordingly, the voltage of the Vs / 2 charged in the source capacitor Cs is supplied to the panel capacitor Cp.
・  At this time, as the inductor L and the panel capacitor  Cp form a series-resonant circuit, the sustain voltage  Vs  corresponding to two times of the source capacitor Cs  voltage is charged in the panel capacitor Cp.
・  In the period t2, the first switch SW1 is turned off. The third switch SW3 is turned on. Accordingly, the sustain voltage Vs is supplied to the scan electrode Y from the sustain voltage source Vs. At this time, the panel capacitor Cp maintains the sustain voltage Vs during the period t2.
・  In the meantime, as the voltage of the panel capacitor Cp is increased to the sustain voltage Vs in the period t1, the driving power which is supplied from outside for a sustain discharge is minimized.
・  In the period t3, the third switch SW3 is turned off. The second switch SW2 is turned on. Accordingly, the current path connected to the panel capacitor  Cp, the inductor  L,  the sixth diode  D6,  the second switch SW2 and the source capacitor  Cs  is formed so that the voltage charged in the panel capacitor  Cp  is collected to the source capacitor  Cs. At this time, the voltage of the Vs / 2 is charged in the source capacitor  Cs.
・  After the period t3, the second switch  SW3  is turned off. The fourth switch  SW4  is turned on. Accordingly, the ground voltage GND is supplied to the scan electrode  Y  of the panel capacitor  Cp. At this time, the scan electrode  Y of the panel capacitor Cp maintains the ground voltage GND when the sustain  pulse is supplied to the sustain electrode  Z.
・  In the meantime, the second energy recovery apparatus  32  supplies the sustain pulse to the panel capacitor  Cp  while alternately operating with the first energy recovery apparatus  30.
・  Therefore, the sustain voltage Vs having the opposite polarity is supplied to the panel capacitor Cp. Since the sustain voltage Vs  having the opposite polarity is supplied to the panel capacitor Cp,  the sustain discharge occurs in discharge cells.
・  However, in the conventional energy recovery apparatus, since the voltage supplied to the source capacitor  Cs  does not exist, the voltage drop is generated according to the impedance of the scan electrode  Y  side when the charging/discharging of the sustain voltage  Vs is performed in the panel capacitor  Cp.
・  Hence, the voltage smaller than 1 / 2 sustain voltage Vs/2  is charged in the source capacitor  Cs. Accordingly, the voltage smaller than  the  sustain voltage  Vs is charged in the panel capacitor  Cs such that  the  reliability is lowered.
・  In addition, the voltage difference between the sustain voltage  Vs and  the voltage charged in source capacitor  Cs  is applied to the first switch and the second switch  SW1,  SW2., which leads to raise the rating of the first and the second switch  SW1, SW2. Thus, there is a problem in that the cost of the plasma display panel increases.
SUMMARY OF THE INVENTION
・  Accordingly, an object of an embodiment of the present invention is to solve at least the problems and disadvantages of the background art.
・  The present invention is to provide a plasma display apparatus and driving method thereof which can decrease  the cost with improving the reliability.
・  A plasma display apparatus according to an embodiment of  the present invention comprises a plasma display panel comprising an electrode, a sustain voltage source for supplying a sustain voltage to the electrode, a source capacitor for recovering energy stored in the plasma display panel and for resupplying the recovered energy to the plasma display panel and a voltage stabilizer connected between the sustain voltage source and the source capacitor, for maintaining a voltage supplied to the source capacitor at a reference voltage level.
・  A plasma display apparatus according to another embodiment of the present invention comprises a plasma display panel comprising an electrode, a sustain voltage source for supplying a sustain voltage to the electrode, a source capacitor for recovering energy stored in the plasma display panel for resupplying the recovered energy to the plasma display panel, a first voltage stabilizer connected between the sustain voltage source and the source capacitor for maintaining a voltage supplied to the source capacitor at a reference voltage level and a second voltage stabilizer connected between the source capacitor and a base voltage source for maintaining a voltage supplied to the source capacitor at a reference voltage level.
・  A driving method of a plasma display apparatus according to still another embodiment of the present invention comprises the steps of supplying a reference voltage to the source capacitor for initial driving, stabilizing a voltage level supplied to the source capacitor for uniformly maintaining the supplied voltage with the reference voltage and resupplying the voltage supplied to the source capacitor to the plasma display panel.
・  The present invention, by using a voltage stabilizing part, maintains the rising time of the sustain voltage which is charged in the panel capacitor to improve the reliability by steadily charging the reference voltage to the source capacitor.
・  The present invention can use a switch element having a low withstanding such that it can decrease the cost of the plasma display apparatus.
DETAILED DESCRIPTION OF PREFERRED EMBODIMENTS
・  Embodiments of the present invention will be described in a more detailed manner with reference to the drawings. 
・   A plasma display apparatus according to an embodiment of  the present invention comprises a plasma display panel comprising an electrode, a sustain voltage source for supplying a sustain voltage to the electrode, a source capacitor for recovering energy stored in the plasma display panel and for resupplying the recovered energy to the plasma display panel and a voltage stabilizer connected between the sustain voltage source and the source capacitor, for maintaining a voltage supplied to the source capacitor at a reference voltage level.
・  The voltage stabilizer is a constant voltage source.
・  The voltage stabilizer comprises a zener diode connected between the sustain voltage source and the source capacitor.
・  The reference voltage level substantially equals a half of the sustain voltage.
・  The apparatus further comprises a resistor connected between the zener diode and the sustain voltage source for controlling a current supplied to the zener diode.
・  A plasma display apparatus according to another embodiment of the present invention comprises a plasma display panel comprising an electrode, a sustain voltage source for supplying a sustain voltage to the electrode, a source capacitor for recovering energy stored in the plasma display panel for resupplying the recovered energy to the plasma display panel a first voltage stabilizer connected between the sustain voltage source and the source capacitor for maintaining a voltage supplied to the source capacitor at a reference voltage level and a second voltage stabilizer connected between the source capacitor and a base voltage source for maintaining a voltage supplied to the source capacitor at a reference voltage level.
・  The first and second voltage stabilizers are constant voltage sources.
・  The first voltage stabilizer comprises a first zener diode connected between the sustain voltage source and the source capacitor.
・  The reference voltage level substantially equals a half of the sustain voltage.
・  The first voltage stabilizer further comprises a first resistor connected between the first zener diode and the sustain voltage source for controlling a current supplied to the first zener diode.
・   The second voltage stabilizer comprises a second zener diode connected between the source capacitor and the base voltage source.
・  The reference voltage level substantially equals a half of the sustain voltage.
・  The second voltage stabilizer further comprises a second resistor connected between the source capacitor and the second zener diode for controlling a current flowing to the second zener diode.
・  A driving method of a plasma display apparatus according to still another embodiment of the present invention comprises the steps of supplying a reference voltage to the source capacitor for initial driving stabilizing a voltage level supplied to the source capacitor for uniformly maintaining the supplied voltage with the reference voltage and resupplying the voltage supplied to the source capacitor to the plasma display panel.
・   The reference voltage level substantially equals a half of a sustain voltage.
・  Detailed embodiments of the present invention will now be described in connection with reference to the accompanying drawings.
・  Figure 3 is a drawing showing a plasma display apparatus according to an embodiment of the present invention.
・  As shown in Figure 3, the energy recovery apparatus 80, 82 among the plasma display apparatus according to the embodiment of the present invention are symmetrically installed across a panel capacitor Cp.
・  The panel capacitor Cp shows the electrostatic capacity formed between the scan electrode Y and the sustain electrode  Z  equivalently.
・  The first energy recovery apparatus 80 supplies the sustain pulse to the scan electrode Y. The second energy recovery apparatus 82 supplies the sustain pulse to the sustain electrode Z, while alternately operating with the first energy recovery apparatus 80.
・  The configuration of the energy recovery apparatus 80, 82 of the plasma display panel according to the embodiment of the present invention will be illustrated with reference to the first energy recovery apparatus 80.
・  The first energy recovery apparatus  80  comprises a sustain voltage source  Vs  for supplying a sustain voltage  Vs  to the scan electrode  Y  of the panel capacitor  Cp, a ground voltage source  GND  for supplying the ground voltage GND to the scan electrode  Y  of the panel capacitor  Cp , the source capacitor  Cs  for collecting the energy charged in the panel capacitor  Cp and re-supplying the collected energy to the panel capacitor  Cp, and an inductor  L  connected between the panel capacitor  Cp  and the source capacitor  Cs.
・  Moreover, it includes a first and a second switch  SW1, SW2  parallely connected between the inductor  L  and the source capacitor  Cs, a first diode  D1 connected parallel to the switch SW1,  a fifth diode D5 connected between the first switch  SW1  and the inductor  L,  a third diode D3 connected parallel to the switch SW2,  a sixth diode D6 connected between the inductor  L  and the second switch  SW2 , a third switch  SW3  connected between the sustain voltage source  Vs and  the scan electrode  Y  of the panel capacitor  Cp, a second diode D2 connected parallel to the switch SW3, a fourth switch  SW4  connected between the scan electrode  Y  and the  ground voltage source  GND  of the panel capacitor  Cp, a fourth diode D4 connected parallel to the switch SW4, and the voltage stabilizing part 70  connected between the sustain voltage source  Vs  and the source capacitor  Cs.
・  The panel capacitor Cp shows the electrostatic capacity formed between the scan electrode Y and the sustain electrode Z of PDP equivalently.
・  The panel capacitor Cp generates a sustain discharge by the sustain voltage Vs having the opposite polarity.
・  The source capacitor Cs collects the energy charged in the panel capacitor Cp and re-supplies the collected energy to the scan electrode Y of the panel capacitor Cp.
・  The inductor  L stores the energy supplied from the panel capacitor  Cp by the switching control signal of the first switch to the fourth switch  SW1 to SW4, supplying the energy stored by an LC resonance with the panel capacitor  Cp  to the panel capacitor  Cp .
・  The first switch  SW1, connected between the source capacitor  Cs  and the the fifth diode D5,  forms a current path so that the energy stored in the source capacitor  Cs can be supplied to the panel capacitor  Cp by  a  first switching control signal supplied from the timing controller(not shown).
・  The  second switch  SW2, connected between the source capacitor  Cs  and the sixth diode D6,  forms a current path so that the energy of the reactive power which does not contribute to a discharge in the panel capacitor Cp can be supplied to the source capacitor Cs by a second switching control signal supplied from the timing controller(not shown).
・  The third switch  SW3, connected between the sustain voltage source  Vs  and the scan electrode  Y  of  the panel capacitor  Cp, forms a current path so that the sustain voltage  Vs  from the sustain voltage source  Vs  can be supplied  to the scan electrode  Y of the panel capacitor  Cp by  a third switching control signal supplied from the timing controller(not shown).
・  The fourth switch SW4, connected between the scan electrode Y of the panel capacitor Cp and the ground voltage source GND, forms a current path so that the ground voltage GND from the ground voltage source GND can be supplied to the scan electrode Y of the panel capacitor Cp by a fourth switching control signal supplied from the timing controller(not shown).
・  Each of the first to the fourth switch SW1 to SW4 is comprised of a semiconductor switch device, for example, one of MOSFET, IGBT, SCR, and BJT.
・  The fifth diode D5, connected between the first switch  SW1  and the inductor  L,  prevents a  reverse current from the panel capacitor  Cp  in the charge of the panel capacitor  Cp .
・  The sixth diode D6, connected between the inductor L and the second switch SW2, prevents a reverse current from the source capacitor Cs in the discharge of the panel capacitor Cp.
・  The voltage stabilizing part 70, connected between the sustain voltage source Vs and the source capacitor Cs, stabilizes the voltage supplied from the sustain voltage source Vs so that  the voltage supplied to the source capacitor  Cs  can be maintained with the reference voltage although  current is changed in the first energy recovery apparatus  80  by the change of the load.
・  The voltage stabilizing part 70 comprises a resistance R and a Zener diode ZD serially connected between the sustain voltage source Vs and the source capacitor Cs.
・  It is desirable that the reference voltage is 1/2 sustain voltage 1/2 Vs, hereinafter, an exemplary embodiment will be illustrated on the condition that the reference voltage is 1/2 sustain voltage 1/2 Vs.
・  The resistance R, connected between the sustain voltage source Vs and Zener diode ZD, controls the current flowing in the Zener diode ZD.
・  The Zener diode ZD, connected between the resistance  R  and source capacitor  Cs, is used as a constant voltage source having 1/2 sustain voltage Vs so that the source capacitor Cs  can be steadily supplied with 1/2 sustain voltage Vs among the sustain voltage Vs supplied from the sustain voltage source  Vs .
・  The Zener diode ZD employs a device which can constantly maintain the reference voltage. Accordingly, 1/2 sustain voltage Vs is always steadily charged in the source capacitor Cs.
・  In the meantime, the second energy recovery apparatus 82  supplies the driving voltage to the sustain electrode Z of the panel capacitor Cp, while alternately operating with the first energy recovery apparatus  80.
・  Therefore, the sustain voltage Vs having the opposite polarity is supplied to the panel capacitor Cp.
・  In this way, being the sustain voltage Vs having the opposite polarity supplied to the panel capacitor Cp, the sustain discharge occurs in discharge cells.
・  The voltage stabilizing part  90  installed in the second energy recovery apparatus 82 plays the same role as the voltage stabilizing part 70 installed in the first energy recovery apparatus  80, hence, the detailed description will be abbreviated.
・  In the energy recovery apparatus among the plasma display apparatus according to the embodiment of the present invention, the voltage stabilizing part  70  is set up between the sustain voltage source Vs and the source capacitor Cs to maintain the voltage supplied to the source capacitor Cs with 1/2 sustain voltage  Vs/2.  Thus, 1/2 sustain voltage Vs/2 can be steadily charged to the source capacitor Cs.
・  Therefore, the rising time of the sustain voltage Vs which is charged in the panel capacitor Cp can be uniformly maintained, so that the reliability can be improved.
・  Moreover, since 1/2 sustain voltage  Vs/2  is steadily charged to the source capacitor  Cs,  1/2 sustain voltage  Vs/2 is steadily charged to the first and the second switch  SW1, SW2 which forms a charge/discharge current path of the panel capacitor Cp. Thus, a switch element having a low withstanding can be used, which leads to the decrease of cost.
・  Figure 4 is a drawing showing an energy recovery apparatus of the plasma display panel according to another embodiment of the present invention.
・  As shown in Figure 4, an energy recovery apparatus 130, 132 among the plasma display apparatus according to another embodiment of the present invention are symmetrically installed across a panel capacitor Cp.
・  The panel capacitor Cp represents the electrostatic capacity formed between a scan electrode Y and a sustain electrode Z equivalently.
・  A first energy recovery apparatus 130 supplies sustain pulses to the scan electrode Y. A second energy recovery apparatus 132 supplies sustain pulses to the sustain electrode Z, while alternately operating with the first energy recovery apparatus 130.
・  The configuration of energy recovery apparatus 130, 132 among the plasma display apparatus according to another embodiment of the present invention will be illustrated with reference to the first energy recovery apparatus 130.
・  The first energy recovery apparatus 130 includes a sustain voltage source Vs for supplying a sustain voltage Vs to the scan electrode Y of the panel capacitor Cp, a ground voltage source GND for supplying the ground voltage GND to the scan electrode Y of the panel capacitor Cp, a source capacitor Cs  for collecting the energy charged in the panel capacitor Cp and re-supplying the collected energy to the panel capacitor Cp, and a inductor L connected between the panel capacitor Cp and source capacitor Cs.
・  Moreover, it includes a first and a second switch  SW1, SW2  parallely connected between the inductor L and the source capacitor Cs, a first diode D1 connected parallel to the switch SW1,  a fifth diode D5 connected between the first switch SW1 and the inductor L, a third diode D3 connected parallel to the switch SW2,  a sixth diode D6 connected between the inductor L and the second switch SW2, a third switch SW3 connected between the scan electrode Y of the panel capacitor Cp and the sustain voltage source Vs, a second diode D2 connected parallel to the switch SW3, a fourth switch  SW4 connected between the scan electrode Y of the panel capacitor Cp and the ground voltage source GND, a fourth diode D4 connected parallel to the switch SW4, a first voltage stabilizing part 122 connected between the sustain voltage source Vs and the source capacitor Cs and a second voltage stabilizing part 124 connected between the source capacitor Cs  and the ground voltage source GND.
・  In compared with the energy recovery apparatus of the plasma display panel according to the embodiment of Figure 3, the energy recovery apparatus of the plasma display panel according to the another embodiment of the present invention may be similar to the energy recovery apparatus of the plasma display panel according to the embodiment of the present invention except the second voltage stabilizing part 124. Hence, the detailed description except the second voltage stabilizing part 124 will be abbreviated.
・  The second voltage stabilizing part 124 is connected between the source capacitor Cs and the ground voltage source GND, stabilizing the voltage divided by the first voltage stabilizing part 122 so that the voltage supplied to the source capacitor Cs can maintain 1/2 sustain voltage 1/2 Vs although a current is changed in the first energy recovery apparatus 130  due to the change of the load.
・  That is, the second voltage stabilizing part 124  stabilizes the voltage divided by the first voltage stabilizing part 122  so that the voltage which is stabilized by the first voltage stabilizing part 122, or 1/2 sustain voltage Vs/2 might be steadily supplied to the both ends of the source capacitor  Cp.
・  The second voltage stabilizing part 124 includes a second resistance R2 serially connected between the source capacitor Cs and the ground voltage source GND and a second Zener diode ZD2.
・  The second resistance R2 is connected between the source capacitor Cs and the ground voltage source GND, controlling the current flowing in the second Zener diode ZD2. The second resistance R2 can be removed.
・  The second Zener diode ZD2 is connected between the second resistance R2 and the ground voltage source GND, being used as a constant voltage source having 1/2 sustain voltage Vs/2 so that 1/2 sustain voltage Vs/2 divided by the first voltage stabilizing part 122 might be steadily supplied to the both ends of the source capacitor Cs.
・  The same device as the first Zener diode ZD1 is used for the second Zener diode ZD2.
・   In other words, the device which can maintain 1/2 sustain voltage Vs/2 uniformly is used for the second Zener diode ZD2. Accordingly, 1/2 sustain voltage Vs/2 is always steadily charged to the source capacitor Cs.
・  In this way, in the energy recovery apparatus of the plasma display panel according to another embodiment of the present invention, the voltage stabilizing part 120 is installed between the sustain voltage source Vs and the source capacitor Cs and the ground voltage source GND to uniformly maintain the voltage supplied to the source capacitor Cs with 1/2 sustain voltage Vs/2 such that 1/2 sustain voltage Vs/2 can be steadily charged to the source capacitor Cs.
・  Therefore, since the rising time of the sustain voltage Vs which is charged in the panel capacitor Cp can be uniformly maintained, the reliability can be improved.
・  Moreover, since 1/2 sustain voltage Vs/2 is steadily charged  to the source capacitor Cs, 1/2 sustain voltage Vs/2 is steadily applied to the first and the second switch  SW1, SW2 that forms the charge/ discharge current path of the panel capacitor Cp, thereby the switch element having a low withstanding can be used. Thus, the cost of the plasma display panel can be decreased.
・  Accordingly, as the source capacitor is steadily charged with the reference voltage by using the voltage stabilizing part, the rising time of the sustain voltage which is charged in the panel capacitor can be uniformly maintained, thereby  the reliability can be improved
・  Moreover, the switch element having a low withstanding can be used, which result in the decrease of the cost of the plasma display apparatus.
・  The invention being thus described, it will be obvious that the same may be varied in many ways.  Such variations are not to be regarded as a departure from the spirit and scope of the invention, and all such modifications as would be obvious to one skilled in the art are intended to be included within the scope of the following claims.
BRIEF DESCRIPTION OF THE DRAWINGS
・  The invention will be described in detail with reference to the following drawings in which like numerals refer to like elements.
・  Figure 1 is a circuit diagram showing an energy recovery apparatus of a conventional plasma display panel.
・  Figure 2 is a timing diagram and a waveform diagram.showing the on/off timing of the switches shown in Figure 1 and the output waveform of the panel capacitor.
・  Figure 3 is a drawing showing a plasma display apparatus according to an embodiment of the present invention.
・  Figure 4 is a drawing showing an energy recovery apparatus of the plasma display panel according to another embodiment of the present invention.
Claiｍs
1. A plasma display apparatus comprising:
a plasma display panel comprising an electrode;
a sustain voltage source for supplying a sustain voltage to the electrode;
a source capacitor for recovering energy stored in the plasma display panel and for resupplying the recovered energy to the plasma display panel; and
a voltage stabilizer connected between the sustain voltage source and the source capacitor, for maintaining a voltage supplied to the source capacitor at a reference voltage level.
2. The apparatus of claim 1, wherein the voltage stabilizer is a constant voltage source.
3. The apparatus of claim 2, wherein the voltage stabilizer comprises a zener diode connected between the sustain voltage source and the source capacitor.
4. The apparatus of claim 3, wherein the reference voltage level substantially equals a half of the sustain voltage.
5. The apparatus of claim 3, further comprising a resistor connected between the zener diode and the sustain voltage source for controlling a current supplied to the zener diode.
6. A plasma display apparatus comprising:
a plasma display panel comprising an electrode;
a sustain voltage source for supplying a sustain voltage to the electrode;
a source capacitor for recovering energy stored in the plasma display panel for resupplying the recovered energy to the plasma display panel;
a first voltage stabilizer connected between the sustain voltage source and the source capacitor for maintaining a voltage supplied to the source capacitor at a reference voltage level; and
a second voltage stabilizer connected between the source capacitor and a base voltage source for maintaining a voltage supplied to the source capacitor at a reference voltage level.
7. The apparatus of claim 6, wherein the first and second voltage stabilizers are constant voltage sources.
8. The apparatus of claim 7, wherein the first voltage stabilizer comprises a first zener diode connected between the sustain voltage source and the source capacitor.
9. The apparatus of claim 8, wherein the reference voltage level substantially equals a half of the sustain voltage.
10. The apparatus of claim 8, wherein the first voltage stabilizer further comprises a first resistor connected between the first zener diode and the sustain voltage source for controlling a current supplied to the first zener diode.
11. The apparatus of claim 7, wherein the second voltage stabilizer comprises a second zener diode connected between the source capacitor and the base voltage source.
12. The apparatus of claim 11, wherein the reference voltage level substantially equals a half of the sustain voltage.
13. The apparatus of claim 11, wherein the second voltage stabilizer further comprises a second resistor connected between the source capacitor and the second zener diode for controlling a current flowing to the second zener diode.
14. A driving method of a plasma display apparatus, the method comprising the steps of: 
supplying a reference voltage to the source capacitor for initial driving;
stabilizing a voltage level supplied to the source capacitor for uniformly maintaining the supplied voltage with the reference voltage; and
resupplying the voltage supplied to the source capacitor  to the plasma display panel.
15. The method of claim 14, wherein the reference voltage level equals substantially a half of a sustain voltage.
ABSTRACTOF THE DISCLOSURE
This document invention relates to a display device and driving method thereof, more particularly, to a plasma display apparatus for driving electrodes and driving method thereof. A plasma display apparatus according to an embodiment of the present invention comprises a plasma display panel comprising an electrode a sustain voltage source for supplying a sustain voltage to the electrode, a source capacitor for recovering energy stored in the plasma display panel and for resupplying the recovered energy to the plasma display panel and a voltage stabilizer connected between the sustain voltage source and the source capacitor, for maintaining a voltage supplied to the source capacitor at a reference voltage level. A driving method of a plasma display apparatus according to another embodiment of the present invention comprises the steps of supplying a reference voltage to the source capacitor for initial driving stabilizing a voltage level supplied to the source capacitor for uniformly maintaining the supplied voltage with the reference voltage and resupplying the voltage supplied to the source capacitor to the plasma display panel.
Fig. 1
RELATED ART
2006313315.tif 000007
Fig. 2
RELATED ART
2006313315.tif 000008
Fig. 3
2006313315.tif 000009
Fig. 4
2006313315.tif 000010